【手続補正書】
【提出日】平成25年11月20日(2013.11.20)
【手続補正１】
【補正対象書類名】明細書
【補正対象項目名】発明の名称
【補正方法】変更
【補正の内容】
【発明の名称】撮像装置及び測光値演算方法
【手続補正２】
【補正対象書類名】明細書
【補正対象項目名】００１０
【補正方法】変更
【補正の内容】
【００１０】
上記目的を達成するために、本発明の撮像装置は、被写体の測光を行い、測光値を出力する測光手段と、測光条件を変えずに前記測光手段から複数の測光値を取得する取得手段と、前記取得手段により取得された前記複数の測光値と前記測光手段の出力変化特性とに基づいて、露出演算に用いる測光値を演算する演算手段と、を有する。
【手続補正３】
【補正対象書類名】明細書
【補正対象項目名】００３２
【補正方法】変更
【補正の内容】
【００３２】
ファインダーモード選択スイッチＳＷ１３８は、接眼レンズ１０６により被写体を確認することが可能な光学ファインダーモードと、イメージセンサ１１２からの画像信号を逐次、画像表示回路１１８に表示するライブビュー表示モードとを切り替える。また、通信インターフェース回路１２６は、システムコントローラ１２０の制御により、外部装置との通信のインターフェースを行う。
【手続補正４】
【補正対象書類名】明細書
【補正対象項目名】００４１
【補正方法】変更
【補正の内容】
【００４１】
図中の実線は、測光出力を基に算出されたものであり、輝度が暗くなるほど（ＥＶ値が小さくなるほど）、測定誤差及び差分測光値は共に大きくなっており、また、両者は相関関係にあることを示している。また、図中の破線は、実線で示すグラフを３次の予測関数でフィッティングしたものである。図４に示すように、ＥＶ値が２から−４程度までは良好に一致しており、予測による測光が可能であることが分かる。また、ＥＶ値が−４より低い輝度では、予測精度が徐々に失われていくのが分かる。ＥＶ値が−６のような非常な低輝度では、リセット動作を行ってフォトトランジスタＱ１のベースにキャリア注入を行った後の安定待ちの初期状態では、フォトトランジスタＱ１のエミッタ電流成分として、注入キャリアによるものが圧倒的に支配的である。そのため、充分な予測精度を得ることが困難となる。精度を向上させるためには、更に読み出しを行い、予測関数の次数や係数を変えて予測すればよい。予測を行うための読み出し回数は、カメラに許されるレリーズタイムラグ、連写、単写などの撮影モード、あるいは搭載されるカメラの連写速度などを考慮して、バランスの良い回数を設定すればよい。また、あるいはカメラによっては、予測読み出しを行うための安定待ち時間を変えるなどの対応も可能である。
【手続補正５】
【補正対象書類名】明細書
【補正対象項目名】００５４
【補正方法】変更
【補正の内容】
【００５４】
ΔＡＥ≦０の場合はＳ７１５に進み、更に、Ｓ７１５で、ΔＡＥの値が−γ＜ΔＡＥ≦０の場合は、Ｓ７１６に進む。ΔＡＥが０付近の場合は、結果的に入射光がある程度大きく、測光回路１０７が予測動作中に充分に安定した場合である。従ってγの値は、測光出力のばらつきやカメラの露出の許容値をもとに、たとえば、１／８から１／３段程度の値が設定される。Ｓ７１６では、ＡＥ２とＡＥ３の平均値を算出し、この値をもとに、Ｓ７１４で露出演算を行い、このサブルーチンを終了する。ΔＡＥ≦−γの場合は、撮影シーンの変更があり、被写体輝度が明るく変化したと考えられるので、Ｓ７０１に戻って再測光を実施する。
【手続補正６】
【補正対象書類名】特許請求の範囲
【補正対象項目名】全文
【補正方法】変更
【補正の内容】
【特許請求の範囲】
【請求項１】
被写体の測光を行い、測光値を出力する測光手段と、
測光条件を変えずに前記測光手段から複数の測光値を取得する取得手段と、
前記取得手段により取得された前記複数の測光値と前記測光手段の出力変化特性とに基づいて、露出演算に用いる測光値を演算する演算手段と、
を有することを特徴とする撮像装置。
【請求項２】
前記取得手段は、前記測光手段に対するリセット動作を行ってから所定時間が経過するまでの間に測光条件を変えずに前記測光手段から複数の測光値を取得し、前記演算手段は、当該複数の測光値と前記測光手段の出力変化特性とに基づいて前記露出演算に用いる測光値を演算することを特徴とする請求項１に記載の撮像装置。
【請求項３】
前記取得手段は、前記測光手段から出力される測光値が安定していない期間において、測光条件を変えずに前記測光手段から複数の測光値を取得し、前記演算手段は、当該複数の測光値と前記測光手段の出力変化特性とに基づいて前記露出演算に用いる測光値を演算することを特徴とする請求項１に記載の撮像装置。
【請求項４】
前記取得手段は、前記測光手段から出力される測光値が前記被写体の輝度に対応した測光値とならない期間において、測光条件を変えずに前記測光手段から複数の測光値を取得し、前記演算手段は、当該複数の測光値と前記測光手段の出力変化特性とに基づいて前記露出演算に用いる測光値を演算することを特徴とする請求項１に記載の撮像装置。
【請求項５】
前記演算手段は、前記複数の測光値のうちの第１の測光値と第２の測光値との差に応じて、当該第１の測光値と第２の測光値と前記測光手段の出力変化特性とに基づいて前記露出演算に用いる測光値を演算するか否かを変更することを特徴とする請求項１ないし４のいずれか１項に記載の撮像装置。
【請求項６】
前記第２の測光値は前記第１の測光値よりも後に取得される測光値であって、前記演算手段は、前記第２の測光値が前記第１の測光値以上の場合、当該第１の測光値と第２の測光値と前記測光手段の出力変化特性とに基づいて前記露出演算に用いる測光値を演算しないことを特徴とする請求項５に記載の撮像装置。
【請求項７】
前記取得手段は、前記第１の測光値が前記第２の測光値よりも所定値以上大きい場合、当該第２の測光値を取得した後に第３の測光値を取得し、
前記演算手段は、前記取得手段により前記第３の測光値を取得した場合、当該第３の測光値と前記第２の測光値と前記測光手段の出力変化特性とに基づいて前記露出演算に用いる測光値を演算することを特徴とする請求項６に記載の撮像装置。
【請求項８】
前記演算手段は、前記第１の測光値と第２の測光値と前記測光手段の出力変化特性とに基づいて前記被写体の輝度を演算しない場合、当該第１の測光値と第２の測光値との平均値を前記露出演算に用いる測光値として演算することを特徴とする請求項６に記載の撮像装置。
【請求項９】
前記演算手段は、前記取得手段により取得された前記複数の測光値と前記測光手段の出力変化特性とに基づいて前記被写体の輝度に対応した測光値を予測し、予測した測光値に基づいて前記露出演算に用いる測光値を演算することを特徴とする請求項１ないし８のいずれか１項に記載の撮像装置。
【請求項１０】
前記演算手段は、連写撮影の１回目の撮影を行う前は、前記取得手段により取得された前記複数の測光値と前記測光手段の出力変化特性とに基づいて前記露出演算に用いる測光値を演算しないことを特徴とする請求項１ないし９のいずれか１項に記載の撮像装置。
【請求項１１】
前記測光手段の出力変化特性は、測光を開始してからの経過時間に従って変化する、被写体の輝度と測光値との関係を表す特性であることを特徴とする請求項１ないし１０のいずれか１項に記載の撮像装置。
【請求項１２】
被写体の測光を行い、測光値を出力する測光手段を用いて測光値を演算する測光値演算方法であって、
取得手段が、測光条件を変えずに前記測光手段から複数の測光値を取得する取得工程と、
演算手段が、前記取得工程で取得された前記複数の測光値と前記測光手段の出力変化特性とに基づいて、露出演算に用いる測光値を演算する演算工程と、
を有することを特徴とする測光値演算方法。
【手続補正７】
【補正対象書類名】図面
【補正対象項目名】図１
【補正方法】変更
【補正の内容】
【図１】
2012113055.tif 000001